(57)【要約】【課題】複数の装備品の装備判定が可能な複数装備品装備判定システムを提供する。【解決手段】コンピュータ３ａから装備品ＩＤ（Ａ）が送信されると、コンピュータ１は、その装備品ＩＤ（Ａ）をリストから削除する。コンピュータ３ｂから装備品ＩＤ（Ｂ）が送信されると、コンピュータ１は、その装備品ＩＤ（Ｂ）をリストから削除する。コンピュータ１は、リストが空になったので、ドアＤを解錠する。【選択図】図１
2008092064.tif 000002
【特許請求の範囲】
【請求項１】
媒体に装備される複数の装備品に１対１で装備され装備品ＩＤを記憶する装備品対応のコンピュータに１対１で装備される装備品対応のトランシーバと、媒体に装備されるべき複数の装備品の装備品ＩＤを記憶した装備品判定のコンピュータに通信可能な装備品判定のトランシーバとが電極を有し、
各電極が媒体に接触または近接している状態で、
各装備品対応のトランシーバは、対応する装備品対応のコンピュータから送信される装備品ＩＤに応じた波形の電圧を電極と媒体を介して装備品判定のトランシーバの電極に印加し、
装備品判定のトランシーバは、電極に印加された電圧の波形を装備品ＩＤとして検出し、この装備品ＩＤを装備品判定のコンピュータに送信し、
装備品判定のコンピュータは、記憶した全装備品ＩＤが送信された否かを判定する
ことを特徴とする複数装備品装備判定システム。
【請求項２】
媒体に装備される複数の装備品に１対１で装備され装備品ＩＤを記憶する装備品対応のコンピュータに１対１で装備される装備品対応のトランシーバと、媒体に装備されるべき複数の装備品の装備品ＩＤを記憶した装備品判定のコンピュータに通信可能な装備品判定のトランシーバとが電極を有し、
各電極が媒体に接触または近接している状態で、
各装備品対応のトランシーバは、対応する装備品対応のコンピュータから送信される装備品ＩＤに応じた波形の電圧を電極と媒体を介して装備品判定のトランシーバの電極に印加し、
装備品判定のトランシーバは、電極に印加された電圧の波形を装備品ＩＤとして検出し、この装備品ＩＤを装備品判定のコンピュータに送信し、
装備品判定のコンピュータは、記憶した全装備品ＩＤが送信された否かを判定する
ことを特徴とする複数装備品装備判定方法。
【請求項３】
請求項１記載の複数装備品装備判定システムにおいて、装備品判定のトランシーバは、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を装備品ＩＤとして検出し、この装備品ＩＤを装備品判定のコンピュータに送信する
ことを特徴とする複数装備品装備判定システム。
【請求項４】
請求項２記載の複数装備品装備判定方法において、装備品判定のトランシーバは、電極に印加された電圧の波形に応じた電界を電気光学結晶に印加し、この電気光学結晶で光源からの光の偏光状態を変調し、この偏光変調光を強度変調光に変換し、この強度変調光を電気信号に変換し、この電気信号の波形を装備品ＩＤとして検出し、この装備品ＩＤを装備品判定のコンピュータに送信する
ことを特徴とする複数装備品装備判定方法。
【発明の詳細な説明】
【技術分野】
【０００１】
本発明は、複数の装備品の装備判定が可能な複数装備品装備判定システムに関する。
【背景技術】
【０００２】
従来、複数の装備品を必要とする作業などを実行する際には、これらの装備品を目視確認し、その存在を確認できれば、実行が可能となる。
【非特許文献１】RedTacton、［平成１７年１０月３日検索］、インターネット＜URL： http://www.redtacton.com/jp/info/index.html＞
【発明の開示】
【発明が解決しようとする課題】
【０００３】
しかしながら、装備品の数が増えると、目視確認は面倒であり、また、見落としが生じ、そのため、実行が不可能になることがある。
【０００４】
本発明は、上記の課題に鑑みてなされたものであり、その目的とするところは、複数の装備品の装備判定が可能な複数装備品装備判定システムを提供することにある。
【課題を解決するための手段】
【０００５】
上記の課題を解決するために、本発明では、媒体に装備される複数の装備品に１対１で装備され装備品ＩＤを記憶する装備品対応のコンピュータに１対１で装備される装備品対応のトランシーバと、媒体に装備されるべき複数の装備品の装備品ＩＤを記憶した装備品判定のコンピュータに通信可能な装備品判定のトランシーバとが電極を有し、各電極が媒体に接触または近接している状態で、各装備品対応のトランシーバは、対応する装備品対応のコンピュータから送信される装備品ＩＤに応じた波形の電圧を電極と媒体を介して装備品判定のトランシーバの電極に印加し、装備品判定のトランシーバは、電極に印加された電圧の波形を装備品ＩＤとして検出し、この装備品ＩＤを装備品判定のコンピュータに送信し、装備品判定のコンピュータは、記憶した全装備品ＩＤが送信された否かを判定する。
【発明の効果】
【０００６】
本発明によれば、複数の装備品が装備されているか否かを判定することができる。
【発明を実施するための最良の形態】
【０００７】
以下、本発明に係る複数装備品装備判定システムおよび方法の実施の形態を図面を参照して説明する。
【０００８】
図１は、本実施の形態に係る複数装備品装備判定システムの構成図である。
【０００９】
このシステムは、ユーザＵが装備品Ａ、Ｂを両方装備しているときに限りドアＤを解錠するものである。ユーザＵは、このシステムでの通信の媒体として用いられる。
【００１０】
コンピュータ１とトランシーバ２は、装備品判定のためのものであり、コンピュータ１は、装備品Ａを示す装備品ＩＤ（Ａ）と、装備品Ｂを示す装備品ＩＤ（Ｂ）とを記憶した記憶部（以下、リスト）Ｌを備え、これら全ＩＤが送信された場合にドアＤを解錠するようになっている。また、トランシーバ２は、コンピュータ１に接続され、例えば、ドアＤの近傍に設置されている。
【００１１】
また、このシステムでは、相互接続されたコンピュータ３ｕとトランシーバ４ｕがユーザＵに装備される。また、相互接続されたコンピュータ３ａとトランシーバ４ａが装備品Ａに装備される。また、相互接続されたコンピュータ３ｂとトランシーバ４ｂが装備品Ｂに装備される。
【００１２】
図２は、トランシーバ２、４ｕ、４ａ、４ｂの構成および利用形態を示す図である。
【００１３】
トランシーバ２、４ｕ、４ａ、４ｂは、同様な構成を有するので、これらを区別せず、トランシーバＴＲという。また、コンピュータ１、３ｕ、３ａ、３ｂをコンピュータＣＭＰという。
【００１４】
トランシーバＴＲは、電極ＴＲ１と、発振器ＴＲ２と電界検出部ＴＲ３と送受信回路ＴＲ４を備える。特に、トランシーバ２の電極ＴＲ１は、情報伝達の媒体である、ユーザＵの人体が接触できるようにユーザＵ側に露出している。一方、トランシーバ４ｕ、４ａ、４ｂの電極ＴＲ１は、ユーザＵの人体に常に接触している状態にされる。なお、トランシーバＴＲ間では、ユーザＵの人体と電極ＴＲ１とが近接していても通信可能なので、電極ＴＲ１の表面を絶縁体で覆ってもよい。例えば、トランシーバをカード型にし、それを服のポケットに入れた状態で通信できるようにしてもよい。
【００１５】
送受信回路ＴＲ４は、コンピュータＣＭＰから送信される情報に応じて発振器ＴＲ２を制御し、発振器ＴＲ２は、その情報に応じた電圧を電極ＴＲ１に印加するようになっている。また、送受信回路ＴＲ４は、電界検出部ＴＲ３で光電変換された電気信号を処理することで、コンピュータＣＭＰに送信すべき情報を検出し、これをコンピュータＣＭＰに送信するようになっている。
【００１６】
電界検出部ＴＲ３は、光源ＴＲ３１と、この光源ＴＲ３１からの光の偏光状態を変調する電気光学結晶ＴＲ３２と、この偏光変調光を強度変調光に変換する偏光板ＴＲ３３と、この強度変調光を電気信号に変換する光検出器ＴＲ３４とを備える。
【００１７】
（実施の形態の動作）
図３は、本システムが行う複数装備品装備判定方法の一例を示すシーケンス図である。
【００１８】
コンピュータ３ｕは、ユーザＵを示すＩＤをトランシーバ４ｕの送受信回路ＴＲ４に送信する。
【００１９】
送受信回路ＴＲ４は、そのＩＤに基づいてトランシーバ４ｕの発振器ＴＲ２を発振させる。発振器ＴＲ２は、このＩＤに応じた波形の電圧を、トランシーバ４ｕの電極ＴＲ１に印加する。ユーザＵの人体がトランシーバ２の電極ＴＲ１に接触あるいは近接していれば、この電圧がユーザＵの人体を介して、トランシーバ２の電極ＴＲ１に印加される。
【００２０】
トランシーバ２の電界検出部ＴＲ３では、当該電圧の波形に応じた電界を電気光学結晶ＴＲ３２に印加し、光源ＴＲ３１が光を電気光学結晶ＴＲ３２に入射し、偏光板ＴＲ３３が電気光学結晶ＴＲ３２からの偏光変調光を強度変調光に変換し、光検出器ＴＲ３４が強度変調光を電気信号に変換し、送受信回路ＴＲ４が電気信号の波形をＩＤとして検出する。そして、このＩＤをコンピュータ１に送信する（Ｓ１）。
【００２１】
コンピュータ１は、送信されたＩＤでユーザ認証を行い、認証成功した場合は、装備品ＩＤを待機する。ここでは、認証成功とする。
【００２２】
コンピュータ３ａは、装備品ＩＤ（Ａ）をトランシーバ４ａの送受信回路ＴＲ４に送信する。
【００２３】
トランシーバ４ａは、トランシーバ４ｕが行ったとき（Ｓ１）と同様に、装備品ＩＤ（Ａ）に応じた電圧をトランシーバ２の電極ＴＲ１に印加する。
【００２４】
トランシーバ２は、ユーザＵのＩＤを検出したとき（Ｓ１）と同様に、装備品ＩＤ（Ａ）を検出し、コンピュータ１に送信する（Ｓ２）。
【００２５】
同様に、コンピュータ３ｂからコンピュータ１へ装備品ＩＤ（Ｂ）が送信される（Ｓ３）。
【００２６】
コンピュータ１は、装備品ＩＤが送信された際に、その装備品ＩＤがリストＬにあるかを判定し、あった場合は、その装備品ＩＤをリストＬから削除し、その後のリストＬが空のときに限り、ドアＤを解錠する。
【００２７】
図３に示すように、先に装備品ＩＤ（Ａ）が送信されたとすると、装備品ＩＤ（Ａ）は、リストＬにあるから削除され、その後のリストＬが空でないので、ドアＤは解錠されず、後に、装備品ＩＤ（Ｂ）がリストＬから削除され、そのときにリストが空なので、ドアＤが解錠される。
【００２８】
したがって、ユーザＵが装備品Ａ、Ｂを両方装備しているときに限りドアＤを解錠することができる。つまり、ユーザＵが一方を装備しているとき、または、両方とも装備していないときに解錠がなされるのを防止することができる。また、装備品Ａ、Ｂを装備することがない不審者などによる侵入防止のため、ドアを施錠したままとすることができる。  なお、コンピュータ１がコンピュータ３ｕ、３ａ、３ｂへ要求を送信し、これにより、ステップＳ１を行うようにしてもよい。
【００２９】
また、かかる要求を行わない場合、使用されない発振器ＴＲ２や電界検出部ＴＲ３を除いた構成としてもよい。
【００３０】
また、上記説明は、装備品が２つの場合のものだったが、３つ以上の場合でも、同様の構成により同様の作用効果が得られる。
【００３１】
また、ドアを解錠する代わりに、機械を動作させるなどのことを行ってもよい。
【００３２】
また、情報伝達の媒体として人体を用いる代わりに、他の生物（動物など）や絶縁体を媒体としてもよい。
【００３３】
また、実施の形態では、トランシーバでのＩＤの検出に光源、電気光学結晶、偏光板および光検出器という光学部品を用いたが、これらを用いずに、つまり電気的に検出を行ってもよい。
【００３４】
また、実施の形態では、ＩＤ送受を電圧信号で行ったが、電流信号で行ってもよい。
【図面の簡単な説明】
【００３５】
【図１】実施の形態に係るシステムの構成図である。
【図２】トランシーバの構成および利用形態を示す図である。
【図３】実施の形態のシーケンス図である。
【符号の説明】
【００３６】
１、３ｕ、３ａ、３ｂ…コンピュータ
２、４ｕ、４ａ、４ｂ…トランシーバ
Ａ、Ｂ…装備品
Ｄ…ドア
Ｕ…ユーザ
ＴＲ１…電極
ＴＲ２…発振器
ＴＲ３…電界検出部
ＴＲ４…送受信回路
ＴＲ３１…光源
ＴＲ３２…電気光学結晶
ＴＲ３３…偏光板
ＴＲ３４…光検出器
【図１】
2008092064.tif 000003
【図２】
2008092064.tif 000004
【図３】
2008092064.tif 000005